(57)【要約】【課題】巻き軸に対するコイルのバンク巻きが容易に行え、往路巻き、復路巻きの巻き数及びピッチを任意に設定できるバンク巻線方法を提供することにある。【解決手段】第１鍔部１１から離間した巻き軸１０の位置をコイル巻き始め点とし、巻き軸に第１鍔部に向かって往路巻きし、第１鍔部の内側で折り返して往路巻きされたコイル１３上に第２鍔部１２に向かって巻線するとともに、前記コイル巻き始め点を越えた前記巻き軸上の折り返し点まで復路巻きし、前記折り返し点から再び前記第１鍔部に向かって復路巻きされたコイル上に往路巻きし、前記第１鍔部の内側で折り返して往路巻きされたコイル上に前記第２鍔部に向かって巻線するとともに、前記折り返し点を越えた前記巻き軸上の折り返し点まで復路巻きすることを繰り返して巻線することを特徴とする。【選択図】    図２
2004193415.tif 000002
【特許請求の範囲】
【請求項１】
一端に第１鍔部、他端に第２鍔部を有する巻き軸の第１鍔部から第２鍔部に向かってコイルを螺旋状に巻線するバンク巻線方法において、
前記第１鍔部から離間した巻き軸の位置をコイル巻き始め点とし、前記巻き軸に第１鍔部に向かって往路巻きし、
前記第１鍔部の内側で折り返して往路巻きされたコイル上に前記第２鍔部に向かって巻線するとともに、前記コイル巻き始め点を越えた前記巻き軸上の折り返し点まで復路巻きし、
前記折り返し点から再び前記第１鍔部に向かって復路巻きされたコイル上に往路巻きし、前記第１鍔部の内側で折り返して往路巻きされたコイル上に前記第２鍔部に向かって巻線するとともに、前記折り返し点を越えた前記巻き軸上の折り返し点まで復路巻きすることを繰り返して巻線することを特徴とするバンク巻線方法。
【請求項２】
一端に第１鍔部、他端に第２鍔部を有する巻き軸の第１鍔部から第２鍔部に向かってコイルを螺旋状に巻線するバンク巻線方法において、
前記第１鍔部から離間した巻き軸の位置をコイル巻き始め点とし、前記巻き軸に第１鍔部に向かって往路巻きし、
前記第１鍔部の内側で折り返して往路巻きされたコイル上に前記第２鍔部に向かって巻線するとともに、前記コイル巻き始め点を越えた前記巻き軸上の折り返し点まで復路巻きし、
前記折り返し点から再び前記第１鍔部に向かって復路巻きされたコイル上に往路巻きし、前記第１鍔部の内側で折り返して往路巻きされたコイル上に前記第２鍔部に向かって巻線するとともに、前記折り返し点を越えた前記巻き軸上の折り返し点まで復路巻きすることを繰り返してコイルの三角断面層を形成し、その後、該三角断面層の対角辺に沿って傾斜して巻線することを特徴とするバンク巻線方法。
【発明の詳細な説明】
【０００１】
【発明の属する技術分野】
この発明は、例えば、カメラ等の光学機器や小型電子機器等に使用されるトリガートランス等の巻き軸にコイルを巻装するバンク巻線方法に関する。
【０００２】
【従来の技術】
カメラ等の光学機器や小型電子機器等に使用されるトリガートランスは、光学機器、小型電子機器の限られた狭いスペースに格納されるために、小型化、薄型化が要求されている。
【０００３】
トリガートランスは、巻き軸の両端に鍔部を有しており、巻き軸にコイルをバング巻きし、コイルの両端を鍔部から突出する端子にカラゲて半田付けしている。巻き軸にコイルをバンク巻きするには一方の鍔部の内側から巻き軸に螺旋状に巻線し、他方の鍔部の内側で折り返して１層目のコイルの上に重ね巻線することを繰り返して巻線している。
【０００４】
しかし、トリガートランスでは、誘起起電力が巻き軸の最も近い１層のコイルに最も大きく作用し、２層、３層のように巻き軸から離れるにつれてこの誘起起電力の作用が徐々に減少し、巻線間、特に層間には電位差及び分布容量が発生する。
【０００５】
そこで、前述のような電位差及び分布容量を減少させるために、例えば、巻き軸の両端に鍔部を有するボビンに巻線ピッチを往復させて鍔部の内側にコイルによって三角断面層を形成する区分巻きと、巻線ピッチを往復させて三角断面層の対角辺に沿うように傾斜させて巻線した区分巻きする方法が知られている（特許文献１及び２参照。）。
【０００６】
【特許文献１】
特公平３−３４６４３号公報（特許請求の範囲及び第３図〜第５図）
【０００７】
【特許文献２】
特公平４−１５６０３号公報（特許請求の範囲及び第３図〜第５図）
【０００８】
【発明が解決しようとする課題】
しかしながら、特許文献１及び２は、一方の鍔部の内側から巻き軸にコイルを巻き始めて鍔部から離れる方向に境界まで巻線して第１層を形成し、境界からコイルがはみ出ないように折り返して第２層を形成する手順を繰り返することにより、巻き数を順次減らして第３層、第４層…を形成して鍔部の内側に三角断面層を形成している。
【０００９】
従って、コイルのピッチを正確に定めないと巻き崩れが生じやすく、トラバースの制御に正確さが要求され、ピッチを任意に設定できないという問題がある。
【００１０】
この発明は、前記事情に着目してなされたもので、その目的とするところは、巻き軸に対してコイルを巻線する際に、巻き数及びピッチを任意に設定できるとともに、トラバースの制御が容易で、巻き崩れが発生することなく、容易に巻線できるバング巻線方法を提供することにある。
【００１１】
【課題を解決するための手段】
この発明は、前記目的を解決するために、請求項１は、一端に第１鍔部、他端に第２鍔部を有する巻き軸の第１鍔部から第２鍔部に向かってコイルを螺旋状に巻線するバンク巻線方法において、前記第１鍔部から離間した巻き軸の位置をコイル巻き始め点とし、前記巻き軸に第１鍔部に向かって往路巻きし、前記第１鍔部の内側で折り返して往路巻きされたコイル上に前記第２鍔部に向かって巻線するとともに、前記コイル巻き始め点を越えた前記巻き軸上の折り返し点まで復路巻きし、前記折り返し点から再び前記第１鍔部に向かって復路巻きされたコイル上に往路巻きし、前記第１鍔部の内側で折り返して往路巻きされたコイル上に前記第２鍔部に向かって巻線するとともに、前記折り返し点を越えた前記巻き軸上の折り返し点まで復路巻きすることを繰り返して巻線することを特徴とする。
【００１２】
請求項２は、一端に第１鍔部、他端に第２鍔部を有する巻き軸の第１鍔部から第２鍔部に向かってコイルを螺旋状に巻線するバンク巻線方法において、前記第１鍔部から離間した巻き軸の位置をコイル巻き始め点とし、前記巻き軸に第１鍔部に向かって往路巻きし、前記第１鍔部の内側で折り返して往路巻きされたコイル上に前記第２鍔部に向かって巻線するとともに、前記コイル巻き始め点を越えた前記巻き軸上の折り返し点まで復路巻きし、前記折り返し点から再び前記第１鍔部に向かって復路巻きされたコイル上に往路巻きし、前記第１鍔部の内側で折り返して往路巻きされたコイル上に前記第２鍔部に向かって巻線するとともに、前記折り返し点を越えた前記巻き軸上の折り返し点まで復路巻きすることを繰り返してコイルの三角断面層を形成し、その後、該三角断面層の対角辺に沿って傾斜して巻線することを特徴とする。
【００１３】
【発明の実施の形態】
以下、この発明の実施の形態を図面に基づいて説明する。
【００１４】
図１及び図２は第１の実施形態を示し、トリガートランスを示す縦断側面図、図２（ａ）〜（ｃ）はバング巻線方法を示す工程図である。図１に示すように、コア鉄心を構成する巻き軸１０の一端には第１鍔部１１が、他端には第２鍔部１２が設けられている。巻き軸１０にはコイル１３が螺旋状に巻回されており、このコイル１３の両端は端子（図示しない）にカラゲて半田付けされている。
【００１５】
次に、巻き軸１０に対するコイル１３のバンク巻線方法について説明する。図２（ａ）に示すように、第１鍔部１１を貫通してコイル１３を巻き軸１０の軸方向に沿わせ、第１鍔部１１から少し離間した巻き軸１０の位置、本実施形態においては、コイル１３の直径を１ピッチとすると、５ピッチ離間した位置をコイル巻き始め点１４とし、巻き軸１０に対してコイル１３を螺旋状に第１鍔部１１に向かって往路巻きして第１層１５を形成する。
【００１６】
往路巻きが第１鍔部１１に到達すると、第１鍔部１１の内側で折り返して往路巻きされた第１層１５のコイル１３上に第２鍔部１２に向かって巻線する。この復路巻きによって形成される第２層１６はコイル巻き始め点１４を越えた巻き軸１０に到達すると、ここで折り返す。
【００１７】
そして、図２（ｂ）に示すように、この折り返し点１７から再び第１鍔部１１に向かって往路巻きして復路巻きされた第２層１６のコイル１３上に第３層１８を形成する。この第３層１８の往路巻きが第１鍔部１１に到達すると、第１鍔部１１の内側で折り返して往路巻きされた第３層１８のコイル１３上に第２鍔部１２に向かって巻線する。
【００１８】
この復路巻きによって形成される第４層１９は折り返し点１７を越えた巻き軸１０上の折り返し点２０に到達すると、再び折り返して往路巻きする。
【００１９】
この手順を繰り返することにより、図２（ｃ）に示すように、巻き軸１０の第１鍔部１１側にコイル１３によって三角断面層の一次コイル２１が形成される。その後、一次コイル２１の三角断面層の対角辺２１ａに沿って傾斜矢印ａ，ｂ，ｃの順に往路巻きと復路巻きを繰り返すことにより、二次コイル２２が形成され、トリガートランスが完成する。
【００２０】
このように往路巻きと復路巻きは異なる巻き数であり、往路巻きより復路巻きの巻き数が多く、巻き軸１０上で復路巻きから往路巻きに移る折り返し点を越えて折り返し点を包んでいるため、巻き崩れを防止できる。
【００２１】
なお、前記実施形態においては、往路巻きと復路巻きを同一ピッチとしているが、異なるピッチにしてもよく、巻き数及びピッチは任意に設定可能である。
【００２２】
【発明の効果】
以上説明したように、この発明によれば、巻き軸に対するコイルのバンク巻きが容易に行え、往路巻き、復路巻きの巻き数及びピッチを任意に設定できるとともに、巻き崩れを防止できるという効果がある。
【図面の簡単な説明】
【図１】この発明の第１の実施形態を示し、トリガートランスを示す縦断側面図。
【図２】同実施形態を示し、（ａ）〜（ｃ）はバング巻線方法を示す工程図。
【符号の説明】
１０…巻き軸
１１…第１鍔部
１２…第２鍔部
１３…コイル
【図１】
2004193415.tif 000003
【図２】
2004193415.tif 000004